(57)【特許請求の範囲】
【請求項１】
一対の第１の側面部と前記一対の第１の側面部に交互に連続された一対の第２の側面部とを備え、前記側面部以外の部分から少なくとも一方の前記第１の側面部に亘って粘着テープが貼り付けられて封緘される段ボール箱であって、
前記粘着テープが貼り付けられた前記第１の側面部に、開梱時に内側へ押し込まれる押込部と前記押込部より前記粘着テープ側に位置され開梱時に外側へ引き出される摘子部とが連続して設けられ、
前記摘子部が実線状又は破線状の少なくとも三つの切込線に囲まれた領域として形成され、
前記摘子部の三つの切込線は、前記押込部との境界線として形成された第１の切込線と、前記第１の切込線にそれぞれ連続され離隔して位置された一対の第２の切込線とから成り、
前記一対の第２の切込線が表ライナーと裏ライナーにそれぞれ切込を有する状態で形成され、
前記裏ライナーにおける前記一対の第２の切込線が前記表ライナーにおける前記一対の第２の切込線に挟まれる領域に位置され、
前記一対の第２の切込線における前記押込部と反対側の一端をそれぞれテープ側切込端としたときに、前記二つのテープ側切込端間の前記粘着テープの幅方向における距離が前記粘着テープの幅より大きくされた
段ボール箱。
【請求項２】
一方の前記テープ側切込端と他方の前記テープ側切込端との位置が前記粘着テープの長手方向において異なる
請求項１に記載の段ボール箱。
【請求項３】
一方の前記テープ側切込端から前記第１の切込線までの距離と他方の前記テープ側切込端から前記第１の切込線までの距離とが異なる
請求項１に記載の段ボール箱。
【請求項４】
前記摘子部と前記押込部がそれぞれ四角形状に形成され、
前記第２の切込線と前記第５の切込線がそれぞれ破線状に形成され、
前記第２の切込線の各切込の長さが前記第５の切込線の各切込の長さより短くされた
請求項１乃至請求項３の何れかに記載の段ボール箱。
【請求項５】
前記一対の第２の切込線が前記第１の側面部における表ライナーから裏ライナーに亘って貫通された切込を有する実線状又は破線状に形成され、
前記第１の側面部における前記摘子部を挟んだ前記押込部の反対側の位置に一対の補助切込線が形成され、
前記補助切込線は前記第１の側面部における前記表ライナーのみに切込が形成され、
前記一対の補助切込線が前記粘着テープの幅方向に離隔して位置され、
前記補助切込線における前記摘子部側の一端間の距離が前記粘着テープの幅より大きくされた
請求項１乃至請求項４の何れかに記載の段ボール箱。
【請求項６】
前記一対の補助切込線間の距離が前記摘子部から離隔するに従って小さくされた
請求項５に記載の段ボール箱。
【請求項７】
前記二つのテープ側切込端に連続された第３の切込線が形成され、
前記第３の切込線が表ライナーと裏ライナーにそれぞれ複数の切込を有する破線状に形成され、
前記第３の切込線の前記表ライナーにおける前記切込の長さが前記裏ライナーにおける前記切込の長さより短くされた
請求項１乃至請求項６の何れかに記載の段ボール箱。
【請求項８】
前記第２の切込線が表ライナーと裏ライナーにそれぞれ複数の切込を有する破線状に形成され、
前記第２の切込線の前記表ライナーにおける前記切込の長さが前記裏ライナーにおける前記切込の長さより短くされた
請求項１乃至請求項７の何れかに記載の段ボール箱。
【請求項９】
少なくとも前記第１の側面部の一端縁に連続する底面部が設けられ、
前記第１の側面部の前記一端縁が前記底面部との間の折り目として機能し、
前記押込部が四角形状に形成され、
前記押込部における前記摘子部と反対側の端縁に切込が形成されず、
前記押込部における前記摘子部と反対側の端縁が前記第１の側面部の前記一端縁に一致された
請求項１乃至請求項８の何れかに記載の段ボール箱。
【発明の詳細な説明】
【技術分野】
【０００１】
本発明は、一対の外側ラップ部の合わせ目部分から一対の側面部の各一部に亘って粘着テープが貼り付けられて封緘され粘着テープを剥離するために引き出される摘子部が設けられた段ボール箱についての技術分野に関する。
【先行技術文献】
【特許文献】
【０００２】
【特許文献１】実開平２−６３３２３号公報
【背景技術】
【０００３】
各種の物品を搬送するために物品が収容される段ボール箱がある。段ボール箱には、例えば、底面部と底面部の外周縁にそれぞれ連続された四つの側面部と二つの側面部の一端部にそれぞれ連続された一対の内側ラップ部と別の二つの側面部の一端部にそれぞれ連続された一対の外側ラップ部とを備え、一対の外側ラップ部の合わせ目部分から二つの第１の側面部の各一部に亘って粘着テープが貼り付けられて封緘されるものがある。【０００４】
このような段ボール箱には、開梱時に、貼り付けられた粘着テープを容易に剥離するための摘子部が設けられたものがある（例えば、特許文献１参照）。【０００５】
特許文献１に記載された段ボール箱にあっては、対向する一対の側面部（つま面部）にそれぞれ矩形状に形成された摘子部と押込部が上下に連続して設けられている。摘子部と押込部はそれぞれ実線状又は破線状の四つの切込線に囲まれた領域として形成され、摘子部の下縁を形成する切込線と押込部の上縁を形成する切込線とが共有されている。摘子部は上縁が折り目として形成され、押込部は下縁が折り目として形成されている。【０００６】
粘着テープは一対の外側ラップ部の合わせ目部分から一対の側面部の各上端部に亘って貼り付けられる。摘子部と押込部の左右方向における幅は粘着テープの幅より小さくされており、粘着テープの長手方向における両端部はそれぞれ摘子部の左右両側縁を形成する切込線を外側から覆い摘子部を跨いだ状態で貼り付けられている。【０００７】
開梱時には、先ず、下縁を折り目として押込部を折り曲げて内側に押し込み開口を形成し、次に、開口に指を挿入して上縁を折り目として摘子部を折り曲げて外側に引き出す。摘子部を外側に引き出したときには、摘子部とともに粘着テープの長手方向における一端部が側面部から剥離され、続いて、引き出した摘子部を粘着テープに沿って引っ張ることにより表ライナー又はその表面部分とともに粘着テープが剥離される。【０００８】
このように摘子部と押込部が側面部に設けられた段ボール箱においては、開梱時に、押込部を押し込んだ後に形成される開口に指を挿入して摘子部を引き出し、引き出した摘子部を所定の方向へ引っ張ることにより粘着テープが剥離されるため、貼り付けられた粘着テープの剥離作業を簡便に行うことが可能とされている。
【発明の概要】
【発明が解決しようとする課題】
【０００９】
上記のように、摘子部と押込部が設けられた段ボール箱にあっては、開梱時における粘着テープの剥離作業を簡便に行うことが可能であるが、粘着テープは段ボール箱にテープ貼付装置により貼り付けられる場合と手作業により貼り付けられる場合とがある。特に、粘着テープが手作業により貼り付けられる場合には粘着テープの長手方向における端部が側面部において摘子部より上側の位置に貼り付けられる可能性がある。【００１０】
この場合に摘子部を引き出して粘着テープの剥離作業を行うときには、粘着テープが摘子部を跨いだ状態では貼り付けられていないため摘子部の引き出しは小さな力で済み容易に行うことが可能であるが、引き出した摘子部を上側に引き上げて表ライナー又はその表面部分が剥離されたときに、剥離された表ライナーが粘着テープの長手方向における一端縁のみに達してしまう。【００１１】
従って、粘着テープの粘着力が粘着テープを剥離しようとする力に対する抵抗になってしまい、粘着テープの剥離を容易に行うことができなくなるおそれがある。特に、摘子部を上側に引き上げたときには薄手の表ライナー又はその表面部分が剥離されるため、剥離された表ライナーが粘着テープの長手方向における一端縁に達したときに粘着テープの粘着力に打ち負けて表ライナーが千切れてしまう可能性もある。【００１２】
そこで、本発明は、上記した問題点を克服し、粘着テープの貼付位置に拘わらず粘着テープを容易に剥離することを目的とする。
【課題を解決するための手段】
【００１３】
第１に、本発明に係る段ボール箱は、一対の第１の側面部と前記一対の第１の側面部に交互に連続された一対の第２の側面部とを備え、前記側面部以外の部分から少なくとも一方の前記第１の側面部に亘って粘着テープが貼り付けられて封緘される段ボール箱であって、前記粘着テープが貼り付けられた前記第１の側面部に、開梱時に内側へ押し込まれる押込部と前記押込部より前記粘着テープ側に位置され開梱時に外側へ引き出される摘子部とが連続して設けられ、前記摘子部が実線状又は破線状の少なくとも三つの切込線に囲まれた領域として形成され、前記摘子部の三つの切込線は、前記押込部との境界線として形成された第１の切込線と、前記第１の切込線にそれぞれ連続され離隔して位置された一対の第２の切込線とから成り、前記一対の第２の切込線が表ライナーと裏ライナーにそれぞれ切込を有する状態で形成され、前記裏ライナーにおける前記一対の第２の切込線が前記表ライナーにおける前記一対の第２の切込線に挟まれる領域に位置され、前記一対の第２の切込線における前記押込部と反対側の一端をそれぞれテープ側切込端としたときに、前記二つのテープ側切込端間の前記粘着テープの幅方向における距離が前記粘着テープの幅より大きくされたものである。
【００１４】
これにより、粘着テープの長手方向における端部のうち幅方向における両端の少なくとも一部がそれぞれ一対の第２の切込線の各テープ側切込端より内側に位置される。【００１５】
第２に、上記した本発明に係る段ボール箱においては、一方の前記テープ側切込端と他方の前記テープ側切込端との位置が前記粘着テープの長手方向において異なることが望ましい。
【００１６】
第３に、上記した本発明に係る段ボール箱においては、一方の前記テープ側切込端から前記第１の切込線までの距離と他方の前記テープ側切込端から前記第１の切込線までの距離とが異なることが望ましい。
【００１７】
第４に、上記した本発明に係る段ボール箱においては、前記摘子部と前記押込部がそれぞれ四角形状に形成され、前記第２の切込線と前記第５の切込線がそれぞれ破線状に形成され、前記第２の切込線の各切込の長さが前記第５の切込線の各切込の長さより短くされることが望ましい。
【００１８】
これにより、摘子部が押し込み難くされ押込部が押し込み易くされる。
【００１９】
第５に、上記した本発明に係る段ボール箱においては、前記一対の第２の切込線が前記第１の側面部における表ライナーから裏ライナーに亘って貫通された切込を有する実線状又は破線状に形成され、前記第１の側面部における前記摘子部を挟んだ前記押込部の反対側の位置に一対の補助切込線が形成され、前記補助切込線は前記第１の側面部における前記表ライナーのみに切込が形成され、前記一対の補助切込線が前記粘着テープの幅方向に離隔して位置され、前記補助切込線における前記摘子部側の一端間の距離が前記粘着テープの幅より大きくされることが望ましい。
【００２０】
これにより、摘子部を引っ張って粘着テープを引き剥がしていくときに第１の側面部の破断部分が補助切込線に案内されて補助切込線間の部分が引き剥がされていく。【００２１】
第６に、上記した本発明に係る段ボール箱においては、前記一対の補助切込線間の距離が前記摘子部から離隔するに従って小さくされることが望ましい。
【００２２】
これにより、摘子部を引っ張って粘着テープを引き剥がしていくときに第１の側面部の破断部分が補助切込線に案内されて補助切込線間の部分が引き剥がされていき、引き剥がされる部分の幅が次第に小さくなっていく。【００２３】
第７に、上記した本発明に係る段ボール箱においては、前記二つのテープ側切込端に連続された第３の切込線が形成され、前記第３の切込線が表ライナーと裏ライナーにそれぞれ複数の切込を有する破線状に形成され、前記第３の切込線の前記表ライナーにおける前記切込の長さが前記裏ライナーにおける前記切込の長さより短くされることが望ましい。
【００２４】
これにより、摘子部が内側へ押し込まれる方向に変位し難く外側へ引き出される方向に変位し易くなる。【００２５】
第８に、上記した本発明に係る段ボール箱においては、前記第２の切込線が表ライナーと裏ライナーにそれぞれ複数の切込を有する破線状に形成され、前記第２の切込線の前記表ライナーにおける前記切込の長さが前記裏ライナーにおける前記切込の長さより短くされることが望ましい。
【００２６】
これにより、摘子部が内側へ押し込まれる方向に変位し難く外側へ引き出される方向に変位し易くなる。【００３１】
第９に、上記した本発明に係る段ボール箱においては、少なくとも前記第１の側面部の一端縁に連続する底面部が設けられ、前記第１の側面部の前記一端縁が前記底面部との間の折り目として機能し、前記押込部が四角形状に形成され、前記押込部における前記摘子部と反対側の端縁に切込が形成されず、前記押込部における前記摘子部と反対側の端縁が前記第１の側面部の前記一端縁に一致されることが望ましい。
【００３２】
これにより、押込部における摘子部と反対側の端縁が第１の側面部の折曲部分に一致される。
【発明の効果】
【００３５】
本発明によれば、粘着テープの長手方向における端部が摘子部に貼り付けられていない場合においても粘着テープが第１の側面部の一部とともに剥離され、粘着テープの貼付位置に拘わらず粘着テープを容易に剥離することができる。
【図面の簡単な説明】
【００３６】
【図１】図２乃至図３０と共に本発明段ボール箱の実施の形態を示すものであり、本図は、段ボール箱の斜視図である。
【図２】内側ラップ部と外側ラップ部を開いた状態で示す段ボール箱の斜視図である。
【図３】段ボール箱の正面図である。
【図４】第２の切込線の長さが異なる例を示す段ボール箱の正面図である。
【図５】第２の切込線の少なくとも一方が傾斜された例を示す段ボール箱の正面図である。
【図６】図３のＶＩ−ＶＩ線に沿う拡大断面図である。
【図７】摘子部と押込部が第１の側面部の略中央部に形成された例を示す正面図である。
【図８】図９及び図１０と共に粘着テープの剥離作業を行う手順を示すものであり、本図は、押込部が押し込まれた状態を示す斜視図である。
【図９】摘子部が引き出された状態を示す斜視図である。
【図１０】引き出された摘子部が引っ張られ粘着テープが剥離されている状態を示す斜視図である。
【図１１】開口から指が挿入され摘子部が把持された状態を示す正面図である。
【図１２】粘着テープの端部が摘子部の上側に貼り付けられた状態を示す正面図である。
【図１３】粘着テープの端部が摘子部の上側に貼り付けられた状態において、摘子部が引き出されて引っ張られた状態を示す斜視図である。
【図１４】粘着テープの端部が摘子部の上側に貼り付けられた状態において、摘子部が引っ張られ粘着テープが剥離されている状態を示す正面図である。
【図１５】第１の変形例を示す正面図である。
【図１６】第１の変形例において摘子部の下縁が押込部の上縁より小さくされた例を示す正面図である。
【図１７】第２の変形例を示す拡大断面図である。
【図１８】第２の変形例において切込線が切込形成装置によって形成される状態を示す拡大断面図である。
【図１９】第３の変形例を示す拡大断面図である。
【図２０】第３の変形例において摘子部が引き出された状態を概念的に示す拡大断面図である。
【図２１】第４の変形例を示す拡大断面図である。
【図２２】第４の変形例において摘子部が引き出された状態を概念的に示す拡大断面図である。
【図２３】第５の変形例を示す正面図である。
【図２４】第５の変形例において摘子部が等脚台形状に形成された例を示す正面図である。
【図２５】第６の変形例を示す正面図である。
【図２６】上下方向に延びる補助切込線が形成された例を示す正面図である。
【図２７】摘子部を引っ張って表ライナーを引き剥がしていくときに表ライナーにおける左右の破断部分が補助切込線に案内され、表ライナーにおける補助切込線間の部分が引き剥がされている状態を示す斜視図である。
【図２８】傾斜する補助切込線が形成された例を示す正面図である。
【図２９】粘着テープと貼着テープの双方をそれぞれ剥離するための摘子部と押込部が形成された例を示す正面図である。
【図３０】粘着テープと貼着テープの双方を剥離するための兼用部が形成された例を示す正面図である。
【発明を実施するための形態】
【００３７】
以下に、本発明段ボール箱を実施するための形態について添付図面を参照して説明する。
【００３８】
尚、以下に示す実施の形態における段ボール箱は底面部と周面部と天面部から成り、周面部は摘子部及び押込部をそれぞれ有する一対の第１の側面部（つま面部）と摘子部及び押込部を有さない一対の第２の側面部とから成る。以下の説明にあっては、底面部と天面部が並ぶ方向を上下方向とし、一対の第１の側面部が並ぶ方向を前後方向とし、一対の第２の側面部が並ぶ方向を左右方向とする。但し、以下に示す前後上下左右の方向は説明の便宜上のものであり、本発明の実施に関しては、これらの方向に限定されることはない。
【００３９】
また、以下に示す段ボール箱は各面部が、何れも波型状に形成された中芯がそれぞれ平板状の表ライナーと裏ライナーに挟持された構成にされている。
【００４０】
さらに、以下に示す段ボール箱における所定の各面部には切込線が形成されているが、以下に示す各切込線は単一の切込によって構成された実線状の切込線と一定又は不定の間隔で形成された複数の切込によって構成された破線状（ミシン目状）の切込線の双方を含むものである。
【００４１】
さらにまた、各切込線は表ライナーのみに切込が形成された構成、裏ライナーのみに切込が形成された構成、表ライナーと中芯に切込が形成された構成、裏ライナーと中芯に切込が形成された構成、表ライナーと中芯と裏ライナーに切込が形成されて表ライナーから裏ライナーに亘って貫通された構成の全ての構成を含むものである。
【００４２】
＜段ボール箱の構造＞
先ず、段ボール箱１の基本的な構造について説明する（図１乃至図７参照）。
【００４３】
段ボール箱１は、例えば、縦横高さの寸法が異なる直方体形状に形成され、前後方向における長さが左右方向における長さ（幅）より長くされている。尚、段ボール箱１は、立方体形状に形成されていてもよく、また、前後方向における長さと左右方向における長さが同じにされた直方体形状、前後方向における長さと上下方向における長さが同じにされた直方体形状、左右方向における長さと上下方向における長さが同じにされた直方体形状であってもよい。
【００４４】
段ボール箱１は底面部２と周面部３と天面部４から成る（図１及び図２参照）。
【００４５】
底面部２は四つのラップ部２ａ、２ａ、・・・から成り、四つのラップ部２ａ、２ａ、・・・が物品の梱包時に略平面状に折り畳まれ貼着テープ５によって略平面状の状態に固定されている。貼着テープ５は二つのラップ部２ａ、２ａの合わせ目部分から周面部３の各一部に亘って貼り付けられている。
【００４６】
周面部３は一対の第１の側面部６、６と一対の第２の側面部７、７とから成り、一対の第１の側面部６、６の下縁がそれぞれ底面部２の前後両側縁に連続され、一対の第２の側面部７、７の下縁がそれぞれ底面部２の左右両側縁に連続されている。一対の第１の側面部６、６は前後方向を向き前後方向において対向して位置され、一対の第２の側面部７、７は左右方向を向き左右方向において対向して位置されている。第１の側面部６と第２の側面部７は高さが同じにされ、第１の側面部６の左右方向における長さは第２の側面部７の前後方向における長さより短くされている。
【００４７】
天面部４は一対の内側ラップ部８、８と一対の外側ラップ部９、９から成り、一対の内側ラップ部８、８の一端縁がそれぞれ一対の第１の側面部６、６の上縁に連続され、一対の外側ラップ部９、９の一端縁がそれぞれ一対の第２の側面部７、７の上縁に連続されている。
【００４８】
天面部４は物品の梱包時に一対の内側ラップ部８、８と一対の外側ラップ部９、９が略平面状に折り畳まれ粘着テープ１０によって略平面状の状態に固定されている。粘着テープ１０は一対の外側ラップ部９、９の合わせ目部分から一対の第１の側面部６、６の各一部に亘って貼り付けられている。尚、粘着テープ１０と貼着テープ５は同じ種類のものであってもよく、異なる種類のものであってもよい。
【００４９】
周面部３における一対の第１の側面部６、６にはそれぞれ摘子部１１、１１と押込部１２、１２が上下に連続して設けられている（図１乃至図３参照）。摘子部１１、１１は開梱時に外側へ引き出される部分であり、押込部１２、１２は開梱時に内側へ押し込まれる部分である。尚、摘子部１１と押込部１２は一方の第１の側面部６のみに形成されていてもよい。
【００５０】
摘子部１１は実線状又は破線状の四つの切込線に囲まれた領域として形成されている。四つの切込線は、図３に示すように、左右に延びる第１の切込線１３と上下に延びる一対の第２の切込線１４、１４と左右に延びる第３の切込線１５とから成る。
【００５１】
第１の切込線１３は押込部１２との境界線として形成され、例えば、第１の側面部６を貫通する実線状に形成されている。尚、第１の切込線１３は破線状に形成されていてもよい。また、第１の切込線１３は、例えば、全体のうち切込が存在しない短い部分が数箇所あるように形成されていてもよく、このように第１の切込線１３を形成することにより運搬中等の摘子部１１及び押込部１２の意図しない押し込み（折り曲げ）が生じ難いと共に摘子部１１及び押込部１２を小さな力で折り曲げることができ開梱時における作業性の向上を図ることができる。
【００５２】
但し、第１の切込線１３が第１の側面部６を貫通された実線状に形成されることにより、開梱時における摘子部１１の引き出しに要する力が一層小さくなり、摘子部１１の引き出しを容易に行うことができる。また、上記したように、第１の切込線１３は押込部１２との境界線として形成されているため、第１の切込線１３が第１の側面部６を貫通された実線状に形成されることにより、開梱時における押込部１２の押し込みに要する力も一層小さくなり、押込部１２の押し込みを容易に行うことができる。
【００５３】
第２の切込線１４、１４は下端がそれぞれ第１の切込線１３の両端に連続され、左右方向に離隔して平行な状態で形成されている。従って、第２の切込線１４、１４は粘着テープ１０の左右両側縁に平行な状態で位置される。第２の切込線１４は、例えば、第１の側面部６を貫通する破線状に形成されている。
【００５４】
第２の切込線１４、１４の上端、即ち、押込部１２と反対側の一端をそれぞれテープ側切込端１４ａ、１４ａとすると、テープ側切込端１４ａ、１４ａの粘着テープ１０の幅方向における距離Ｌは粘着テープ１０の幅Ｈより大きくされ、例えば、距離Ｌは幅Ｈより２ｍｍ乃至１０ｍｍ大きくされている。粘着テープ１０は長手方向における端部１０ａが適正状態において摘子部１１に貼り付けられるが、この場合において、粘着テープ１０の左右両側縁と第２の切込線１４、１４の間にそれぞれ１ｍｍ乃至５ｍｍの間隔（マージン）が形成される。尚、例えば、図４及び図５に示すように、第２の切込線１４、１４の長さが相違したり少なくとも一方の第２の切込線１４、１４が傾斜されている等によりテープ側切込端１４ａ、１４ａの上下方向における位置が異なる場合もあるが、これらの場合においてもテープ側切込端１４ａ、１４ａの粘着テープ１０の幅方向における距離Ｌは粘着テープ１０の幅Ｈより大きくされている。
【００５５】
第３の切込線１５は両端がそれぞれ第２の切込線１４、１４の上端に連続され、第１の側面部６の表ライナー６ａには切込を有さず、第１の側面部６の裏ライナー６ｂのみ又は第１の側面部６の裏ライナー６ｂと中芯６ｃに切込を有する実線状又は破線状に形成されている（図６参照）。尚、図６は理解を容易にするために切込の大きさを誇張して示している（以下の図において同じ。）。
【００５６】
このように第３の切込線１５は裏ライナー６ｂのみ又は裏ライナー６ｂと中芯６ｃに切込を有するように形成されているため、外側へ引き出されるときの折り目として機能する。尚、第３の切込線１５は第１の側面部６を貫通する実線状又は破線状に形成されていてもよい。
【００５７】
押込部１２は実線状又は破線状の四つの切込線に囲まれた領域として形成されている。四つの切込線は、図３に示すように、左右に延びる第４の切込線１６と上下に延びる一対の第５の切込線１７、１７と左右に延びる第６の切込線１８とから成る。
【００５８】
第４の切込線１６は摘子部１１との境界線として形成され第１の切込線１３と共有され、例えば、第１の側面部６を貫通する実線状に形成されている。尚、第４の切込線１６は破線状に形成されていてもよい。
【００５９】
第５の切込線１７、１７は上端がそれぞれ第４の切込線１６の両端に連続され、左右方向に離隔して平行な状態で形成されている。従って、第５の切込線１７、１７は貼着テープ５の左右両側縁に平行な状態で位置される。第５の切込線１７は、例えば、第１の側面部６を貫通する破線状に形成されている。
【００６０】
第６の切込線１８は押込部１２が内側へ押し込まれるときの折り目として機能し、両端がそれぞれ第５の切込線１７、１７の下端に連続され、、例えば、第１の側面部６の下縁、即ち、第１の側面部６と底面部３の境界部である折曲部分に一致されている。従って、第６の切込線１８には予め折り目が付されているため、第６の切込線１８には切込が形成されていなくてもよい。
【００６１】
このように第６の切込線１８に切込が形成されないことにより、第１の側面部６の高い強度を確保することができる。また、押込部１２を形成する第６の切込線１８が第１の側面部６の下縁に一致されることにより、押込部１２の押し込みを容易に行うことができると共に第６の切込線１８に実線状又は破線状の切込を形成するための加工工程が不要になり段ボール箱１の製造コストの低減及び製造時間の短縮化を図ることができる。
【００６２】
尚、第６の切込線１８には切込が形成されていてもよく、この場合に第６の切込線１８は、第１の側面部６の表ライナー６ａには切込を有さず、第１の側面部６の裏ライナー６ｂのみ又は第１の側面部６の裏ライナー６ｂと中芯６ｃに切込を有する実線状又は破線状に形成される。但し、第６の切込線１８は押込部１２を押し込み易くするために、表ライナー６ａのみ又は表ライナー６ａと中芯６ｃに切込を有する実線状又は破線状に形成されていてもよい。尚、第６の切込線１８は第１の側面部６を貫通する破線状に形成されていてもよい。
【００６３】
上記には、押込部１２を形成する第６の切込線１８が第１の側面部６の下縁に一致された例を示したが、第６の切込線１８が第１の側面部６の下縁以外の位置に存在するように構成することも可能である。例えば、図７に示すように、摘子部１１と押込部１２が第１の側面部６の略中央部に形成されていてもよい。
【００６４】
また、摘子部１１を形成する第３の切込線１５が第１の側面部６の上縁、即ち、第１の側面部６と内側ラップ部８の境界部である折曲部分に一致されていてもよい。
【００６５】
第３の切込線１５が第１の側面部６の上縁に一致されることにより、摘子部１１の引き出しを容易に行うことができると共に第３の切込線１５に実線状又は破線状の切込の形成を省略することも可能であり段ボール箱１の製造コストの低減及び製造時間の短縮化を図ることができる。
【００６６】
＜粘着テープの剥離作業＞
次に、粘着テープ１０の剥離作業の手順について説明する（図１、図８乃至図１４参照）。
【００６７】
段ボール箱１の内部に物品が梱包され剥離作業が行われる前の状態においては、図１に示すように、貼着テープ５の長手方向における両側の端部５ａ、５ａがそれぞれ押込部１２、１２に貼り付けられている。このとき端部５ａの左右両側縁が第５の切込線１７、１７の内側に位置され、端部５ａの上縁が第４の切込線１６の下側に位置され、端部５ａは押込部１２を跨がない状態で貼り付けられている。
【００６８】
また、このとき、上記したように、粘着テープ１０は長手方向における両側の端部１０ａ、１０ａが摘子部１１、１１に貼り付けられている。このとき端部１０ａの左右両側縁が第２の切込線１４、１４の内側に位置され、端部１０ａの下縁が第１の切込線１３の上側に位置され、端部１０ａの左右両側縁と第２の切込線１４、１４の間及び端部１０ａの下縁と第１の切込線１３の間にそれぞれ間隔が形成され、端部１０ａは摘子部１１を跨がない状態で貼り付けられている。
【００６９】
上記した状態において、先ず、押込部１２を押圧して押込部１２を内側へ押し込む（図８参照）。押込部１２が内側へ押し込まれるときには、押圧する力によって第５の切込線１７、１７が切断されると共に第６の切込線１８が折り曲げられる。このとき貼着テープ５の端部５ａが押込部１２とともに内側へ押し込まれる。貼着テープ５の端部５ａは押込部１２を跨がない状態で貼り付けられているため、押込部１２の押込時に貼着テープ５の粘着力が押込部１２を押し込む力に対する抵抗になることがなく、押込部１２の押し込みを小さな力で円滑に行うことができる。
【００７０】
押込部１２が内側へ押し込まれると、第１の側面部６における押込部１２が存在していた部分に開口１９が形成される。
【００７１】
次に、開口１９に指を挿入して摘子部１１を把持し、摘子部１１を外側へ引き出す（図９参照）。摘子部１１が外側へ引き出されるときには、引き出す力によって第２の切込線１４、１４が切断されると共に第３の切込線１５が折り曲げられ、粘着テープ１０の端部１０ａも摘子部１１とともに外側へ引き出される。
【００７２】
このとき摘子部１１において第２の切込線１４、１４間の距離Ｌが粘着テープ１０の幅Ｈより大きくされ、端部１０ａの下縁と第１の切込線１３の間に間隔も形成され、端部１０ａは摘子部１１を跨がない状態で貼り付けられている。従って、摘子部１１の引出時に粘着テープ１０の粘着力が摘子部１１を引き出す力に対する抵抗になることがなく、摘子部１１の引き出しを小さな力で円滑に行うことができる。
【００７３】
続いて、引き出した摘子部１１を粘着テープ１０に沿って引っ張る（図１０参照）。摘子部１１が引っ張られると、引っ張る力によって表ライナー６ａにおける第３の切込線１５が切断されて第３の切込線１５の上側の部分が粘着テープ１０とともに引き剥がされ、さらに外側ラップ部９、９における粘着テープ１０が貼り付けられていた部分の表ライナー９ａ、９ａが粘着テープ１０とともに引き剥がされていく。尚、図１０において梨子地で示した部分は、引き剥がされた後の剥離痕を示している。
【００７４】
このとき表ライナー６ａと表ライナー９ａ、９ａは厚み方向における全体が中芯に対して剥離されるか、又は、表面部分のみが剥離される。
【００７５】
さらに摘子部１１が引っ張られることにより、引き出された摘子部１１の側と反対側に位置する第１の側面部６の表ライナー６ａが粘着テープ１０の反対側の端部１０ａとともに引き剥がされ、粘着テープ１０の全体が段ボール箱１から剥離される。
【００７６】
尚、上記には、粘着テープ１０の剥離作業を一方の第１の側面部６側から行う例を示したが、第１の側面部６、６の双方に摘子部１１、１１と押込部１２、１２が設けられている場合には、両方の押込部１２、１２を内側へ押し込んだ後に両方の摘子部１１、１１を外側へ引き出して粘着テープ１０に沿って引っ張ることにより粘着テープ１０を剥離することも可能である。
【００７７】
また、段ボール箱１においては、摘子部１１の左右方向における幅が粘着テープ１０の幅より大きくされ、摘子部１１の左右方向における大きさが大きくされている。従って、図１１に示すように、開口１９から指１００を挿入して摘子部１１を引き出そうとするときに、挿入した指１００の爪１０１が第２の切込線１４、１４に引掛かり難く、また、指１００の先端部が左右方向において摘子部１１の外側に宛がわれ難いため、指１００で摘子部１１のみを把持して容易に摘子部１１を引き出すことが可能になる。
【００７８】
さらに、段ボール箱１においては、一対の第２の切込線１４、１４が粘着テープ１０の幅方向に直交され、上下に延び平行な状態に形成されている。
【００７９】
従って、第２の切込線１４、１４間の距離が第２の切込線１４、１４の長さ方向（上下方向）の何れの位置においても粘着テープ１０の幅Ｈより大きくなり、粘着テープ１０の端部１０ａの先端縁が上下方向において何れの位置に存在しても端部１０ａが第２の切込線１４、１４を覆う状態にはならないため、粘着テープ１０の貼付位置に拘わらず粘着テープ１０の剥離を容易かつ確実に行うことができる。
【００８０】
上記には、粘着テープ１０の端部１０ａが摘子部１１に貼り付けられた例を示したが、例えば、手作業により端部１０ａが貼り付けられる場合には、端部１０ａが摘子部１１の上側に貼り付けられてしまう可能性がある（図１２参照）。
【００８１】
しかしながら、段ボール箱１にあっては、第２の切込線１４、１４において、テープ側切込端１４ａ、１４ａの粘着テープ１０の幅方向における距離Ｌが粘着テープ１０の幅Ｈより大きくされているため、摘子部１１を引っ張って第１の側面部６の表ライナー６ａを引き剥がしていくときに、引き剥がすに従って次第に幅が小さくなっていく表ライナー６ａの左右両側縁が端部１０ａの下縁に到達せず端部１０ａの左右両側縁にそれぞれ到達する蓋然性が高い（図１３参照）。
【００８２】
このとき、端部１０ａの先端部が表ライナー６ａとともに既に引き剥がされており、さらに摘子部１１を粘着テープ１０に沿って引っ張ることにより粘着テープ１０を剥離することができる（図１４参照）。尚、図１３及び図１４において梨子地で示した部分は、引き剥がされた後の剥離痕を示している。
【００８３】
このように、段ボール箱１にあっては、テープ側切込端１４ａ、１４ａの粘着テープ１０の幅方向における距離Ｌが粘着テープ１０の幅Ｈより大きくされているため、摘子部１１を引っ張って第１の側面部６の表ライナー６ａを引き剥がしていくときに表ライナー６ａの左右両側縁が端部１０ａの左右両側縁にそれぞれ到達する蓋然性が高い。
【００８４】
従って、端部１０ａが摘子部１１に貼り付けられていない場合においても、粘着テープ１０の粘着力が粘着テープ１０を剥離しようとする力に対する抵抗になり難く、粘着テープ１０の貼付位置に拘わらず粘着テープ１０を容易に剥離することができる。
【００８５】
＜変形例＞
次に、摘子部又は押込部の各変形例について説明する（図１５乃至図２５参照）。
【００８６】
尚、以下に示す摘子部又は押込部の各変形例は、上記した摘子部１１又は押込部１２と比較して一部の構成が異なることのみが相違するため、摘子部１１又は押込部１２と比較して異なる部分についてのみ詳細に説明をし、その他の部分については摘子部１１又は押込部１２における同様の部分に付した符号と同じ符号を付して説明は省略する。
【００８７】
先ず、第１の変形例に係る摘子部１１Ａについて説明する（図１５及び図１６参照）。
【００８８】
摘子部１１Ａは第２の切込線１４Ａ、１４Ａが上方へ行くに従って互いに離隔するように傾斜されており、等脚台形状に形成されている。摘子部１１Ａは第２の切込線１４Ａ、１４Ａにおいて、テープ側切込端１４ａ、１４ａの粘着テープ１０の幅方向における上端間の距離Ｌ１が粘着テープ１０の幅Ｈより大きくされており、第２の切込線１４Ａ、１４Ａの下端間の粘着テープ１０の幅方向における距離Ｌ２が粘着テープ１０の幅Ｈより小さくされている。
【００８９】
第２の切込線１４Ａ、１４Ａの下端は、それぞれ第１の切込線１３の両端に連続されていてもよく（図１５参照）、それぞれ第１の切込線１３の両端以外の部分に連続されていてもよく（図１６参照）、摘子部１１Ａは左右方向における大きさが粘着テープ１０の幅の大きさに応じて形成されていればよい。
【００９０】
第１の側面部６に摘子部１１Ａが形成された場合においても、粘着テープ１０の端部１０ａが摘子部１１Ａを跨がない状態で貼付可能であるため、摘子部１１Ａの引出時に粘着テープ１０の粘着力が摘子部１１Ａを引き出す力に対する抵抗にならず、摘子部１１の引き出しを小さな力で円滑に行うことができる。
【００９１】
また、摘子部１１Ａが形成された場合において、粘着テープ１０の端部１０ａが摘子部１１の上側に貼り付けられてしまっても、第２の切込線１４Ａ、１４Ａにおいて、テープ側切込端１４ａ、１４ａの粘着テープ１０の幅方向における距離Ｌ１が粘着テープ１０の幅Ｈより大きくされているため、摘子部１１Ａを引っ張って第１の側面部６の表ライナー６ａを引き剥がしていくときに表ライナー６ａの左右両側縁が端部１０ａの左右両側縁にそれぞれ到達する蓋然性が高い。
【００９２】
従って、端部１０ａが摘子部１１Ａに貼り付けられていない場合においても、粘着テープ１０の粘着力が粘着テープ１０を剥離しようとする力に対する抵抗になり難く、粘着テープ１０の貼付位置に拘わらず粘着テープ１０を容易に剥離することができる。
【００９３】
尚、上記には、第１の変形例として等脚台形状の摘子部１１Ａを例として示したが、段ボール箱１においては、第２の切込線１４Ａ、１４Ａの少なくとも上端間、即ち、テープ側切込端１４ａ、１４ａの粘着テープ１０の幅方向における距離Ｌ１が粘着テープ１０の幅Ｈより大きくされていればよく、このような構成を満足する摘子部であれば各種の形状に形成することが可能である。
【００９４】
次に、第２の変形例に係る摘子部１１Ｂについて説明する（図１７及び図１８参照）。
【００９５】
摘子部１１Ｂは第３の切込線１５Ｂが第１の側面部６を貫通する破線状に形成されており、第３の切込線１５Ｂにおいて表ライナー６ａの切込２０、２０、・・・の長さがそれぞれ裏ライナー６ｂの切込２１、２１、・・・の長さより短くされている（図１７参照）。尚、図１７は、第３の切込線１５Ｂを含む拡大水平断面図である。
【００９６】
このような切込２０、２０、・・・と切込２１、２１、・・・の長さが異なる第３の切込線１５Ｂは、図１８に示すように、櫛歯状の切込形成装置５０によって形成することができる。切込形成装置５０には台形状の切断歯５１、５１、・・・が等間隔に並んで設けられており、切断歯５１、５１、・・・を第１の側面部６に裏面側から差し込むことにより、一度に切込２０、２０、・・・と切込２１、２１、・・・を形成することができる。
【００９７】
従って、切込形成装置５０を用いることにより容易かつ迅速に第３の切込線１５Ｂを形成することができるため、段ボール箱１の製造の容易化及び製造時間の短縮化による量産性の向上を図ることができる。
【００９８】
また、第３の切込線１５Ｂにおいて表ライナー６ａの切込２０、２０、・・・の長さがそれぞれ裏ライナー６ｂの切込２１、２１、・・・の長さより短くされているため、摘子部１１Ｂが内側へ押し込まれる方向に変位し難く外側へ引き出される方向に変位し易い。さらに、表ライナー６ａの切込２０、２０、・・・の長さがそれぞれ裏ライナー６ｂの切込２１、２１、・・・の長さより短くされることにより、摘子部１１Ｂを内側に押し込まれる方向には切り離し難く外側に引き出される方向には切り離し易くなり、段ボール箱１の高い強度を確保した上で粘着テープ１０の剥離作業を容易に行うことが可能になる。
【００９９】
このように摘子部１１Ｂを押し込み難く引き出し易くなるため、運搬中等の意図しない摘子部１１Ｂの押し込みが生じ難いと共に摘子部１１Ｂの引き出しを容易に行うことができる。特に、段ボール箱１にあっては、粘着テープ１０が摘子部を跨がない状態で貼り付けられるため、粘着テープ１０の粘着力が摘子部の押込方向への抵抗にならず、摘子部が押し込まれ易いと言う不具合を生じるおそれがあるが、押し込みが生じ難い構成の摘子部１１Ｂを形成することにより、このような不具合の発生を防止することが可能になる。
【０１００】
尚、表ライナー６ａの切込の長さがそれぞれ裏ライナー６ｂの切込の長さより短くされる構成は、第３の切込線１５Ｂの他に、第２の切込線にも適用することが可能である。表ライナー６ａの切込の長さがそれぞれ裏ライナー６ｂの切込の長さより短くされる構成を第２の切込線に適用することにより、摘子部が一層押し込まれ難くなり、運搬中等の意図しない摘子部の押し込みが一層生じ難くなる。また、表ライナー６ａの切込の長さがそれぞれ裏ライナー６ｂの切込の長さより短くされる構成を第２の切込線に適用することにより、摘子部１１Ｂを内側に押し込まれる方向には一層切り離し難く外側に引き出される方向には一層切り離し易くなり、段ボール箱１の一層高い強度を確保した上で粘着テープ１０の剥離作業を一層容易に行うことが可能になる。
【０１０１】
次いで、第３の変形例に係る摘子部１１Ｃについて説明する（図１９及び図２０参照）。図１９は摘子部１１Ｃが引き出される前の状態を示した図であり、図２０は摘子部１１Ｃが引き出された状態を概念的に示した図である。
【０１０２】
摘子部１１Ｃは第２の切込線１４Ｃ、１４Ｃが第１の側面部６を貫通する破線状に形成されており、表ライナー６ａに形成された切込２２、２２、・・・の位置がそれぞれ裏ライナー６ｂに形成された切込２３、２３、・・・の位置より左右方向において外側にされている。従って、摘子部１１Ｃは表ライナー６ａにおける第２の切込線１４Ｃ、１４Ｃ間の距離が裏ライナー６ｂにおける第２の切込線１４Ｃ、１４Ｃ間の距離より大きくされている。
【０１０３】
切込２２、２２、・・・と切込２３、２３、・・・はそれぞれ切断面が左右方向に対して傾斜された状態で形成されている。尚、図１９に示す一点鎖線は切込２２、２２、・・・、２３、２３、・・・の切断方向を示すための仮想線である。
【０１０４】
切込２２、２２、・・・と切込２３、２３、・・・は前後方向へ行くに従って左右方向へ変位するように傾斜されている。
【０１０５】
尚、第２の切込線１４Ｃ、１４Ｃは実線状に形成されていてもよい。
【０１０６】
上記のように摘子部１１Ｃは表ライナー６ａにおける第２の切込線１４Ｃ、１４Ｃ間の距離が裏ライナー６ｂにおける第２の切込線１４Ｃ、１４Ｃ間の距離より大きくされているため、摘子部１１Ｃの左右方向における表ライナー６ａ側の距離と裏ライナー６ｂ側の距離との差の部分６ｘ、６ｘが摘子部１１Ｃに対して外面側から付与される力に対しての受け（抵抗）となる。
【０１０７】
従って、摘子部１１Ｃを押し込み難く引き出し易くなるため、運搬中等の意図しない摘子部１１Ｃの押し込みが生じ難いと共に摘子部１１Ｃの引き出しを容易に行うことができる。
【０１０８】
第２の切込線１４Ｃ、１４Ｃが破線状に形成される場合には、第２の切込線１４Ｃ、１４Ｃを第２の変形例において示した櫛歯状の切込形成装置５０を用いて形成することが可能である。第２の切込線１４Ｃ、１４Ｃを切込形成装置５０を用いて形成することにより、段ボール箱１の製造の容易化及び製造時間の短縮化による量産性の向上を図ることができる。
【０１０９】
また、第２の切込線１４Ｃ、１４Ｃを切込形成装置５０を用いて形成した場合には、表ライナー６ａに形成される切込２２、２２、・・・の長さが裏ライナー６ｂに形成される切込２３、２３、・・・の長さより短くなる。従って、摘子部１１Ｃを一層押し込み難く引き出し易くなるため、運搬中等の意図しない摘子部１１Ｃの押し込みが一層生じ難いと共に摘子部１１Ｃの引き出しを一層容易に行うことができる。
【０１１０】
次いで、第４の変形例に係る摘子部１１Ｄについて説明する（図２１及び図２２参照）。図２１は摘子部１１Ｄが引き出される前の状態を示した図であり、図２２は摘子部１１Ｄが引き出された状態を概念的に示した図である。
【０１１１】
摘子部１１Ｄは第２の切込線１４Ｄ、１４Ｄが破線状に形成されており、表ライナー６ａ又は表ライナー６ａと中芯６ｃに亘って切込２４、２４、・・・が形成され、裏ライナー６ｂ又は裏ライナー６ｂと中芯６ｃに亘って切込２５、２５、・・・が形成されている。
【０１１２】
摘子部１１Ｄは表ライナー６ａ側に形成された切込２４、２４、・・・の位置がそれぞれ裏ライナー６ｂ側に形成された切込２５、２５、・・・の位置より左右方向において外側にされている。従って、摘子部１１Ｄは表ライナー６ａにおける第２の切込線１４Ｄ、１４Ｄ間の距離が裏ライナー６ｂにおける第２の切込線１４Ｄ、１４Ｄ間の距離より大きくされている。
【０１１３】
切込２４、２４、・・・と切込２５、２５、・・・はそれぞれ切断面が左右方向を向く状態で形成されている。尚、図２１に示す一点鎖線は切込２４、２４、・・・、２５、２５、・・・の切断方向を示すための仮想線である。
【０１１４】
尚、第２の切込線１４Ｄ、１４Ｄは実線状に形成されていてもよい。
【０１１５】
上記のように摘子部１１Ｄは表ライナー６ａにおける第２の切込線１４Ｄ、１４Ｄ間の距離が裏ライナー６ｂにおける第２の切込線１４Ｄ、１４Ｄ間の距離より大きくされているため、摘子部１１Ｄの左右方向における表ライナー６ａ側の距離と裏ライナー６ｂ側の距離との差の部分６ｙ、６ｙが摘子部１１Ｄに対して外面側から付与される力に対しての受け（抵抗）となる。
【０１１６】
従って、摘子部１１Ｄを押し込み難く引き出し易くなるため、運搬中等の意図しない摘子部１１Ｄの押し込みが生じ難いと共に摘子部１１Ｄの引き出しを容易に行うことができる。
【０１１７】
次に、第５の変形例に係る摘子部１１Ｅ及び押込部１２Ｅについて説明する（図２３及び図２４参照）。
【０１１８】
摘子部１１Ｅと押込部１２Ｅはそれぞれ矩形状に形成され、押込部１２Ｅの左右方向における幅が摘子部１１Ｅの左右方向における幅より小さくされ、押込部１２Ｅの面積が摘子部１１Ｅの面積より小さくされている（図２３参照）。
【０１１９】
このように押込部１２Ｅの面積が摘子部１１Ｅの面積より小さくされているため、押込部１２Ｅが摘子部１１Ｅより押し込み難くなるため、運搬中等の意図しない押込部１２Ｅの押し込みが生じ難くなり、良好な搬送状態を確保することができる。特に、押込部は小さな力で容易に押し込めるようにするような構造にされ易いため、押込部１２Ｅの面積を摘子部１１Ｅの面積より小さくして押込部１２Ｅを押し込み難くすることは、良好な搬送状態を確保する上で有効な手段である。
【０１２０】
尚、第５の変形例において、摘子部１１Ｅと押込部１２Ｅの形状はそれぞれ矩形状に限られることはなく、例えば、図２４に示すように、摘子部１１Ｅを等脚台形状に形成して押込部１２Ｅの面積を摘子部１１Ｅの面積より小さくすることも可能である。
【０１２１】
続いて、第６の変形例に係る摘子部１１Ｆ及び押込部１２Ｆについて説明する（図２５参照）。
【０１２２】
摘子部１１Ｆと押込部１２Ｆは第２の切込線１４Ｆ、１４Ｆと第５の切込線１７Ｆ、１７Ｆがそれぞれ破線状に形成されている。第２の切込線１４Ｆ、１４Ｆの切込２６、２６、・・・の長さは第５の切込線１７Ｆ、１７Ｆの切込２７、２７、・・・の長さより短くされている。尚、このとき、切込２６と切込２７の少なくとも一方が表ライナー６ａから裏ライナー６ｃまで貫通された切込として形成され表ライナー６ａにおける切込と裏ライナー６ｃにおける切込の長さが異なる場合には、切込２６のうち最も長い切込の長さが切込２７のうち最も長い切込の長さより短くされている。
【０１２３】
従って、摘子部１１Ｆが押し込み難くされ押込部１２Ｆが押し込み易くされるため、運搬中等の意図しない摘子部１１Ｆの押し込みが生じ難くなり良好な搬送状態を確保することができると共に粘着テープ１０の開梱作業に際して押込部１２Ｆを容易に押し込むことができ開梱作業における作業性の向上を図ることができる。
【０１２４】
＜他の例＞
以下に、摘子部や押込部やこれらに関連する部分における他の例について説明する（図２６乃至図３０参照）。
【０１２５】
尚、以下に示す他の例は、上記した摘子部１１又は押込部１２と比較して一部の構成が異なり又は一部の構成が追加されることのみが相違するため、摘子部１１又は押込部１２と比較して異なる部分についてのみ詳細に説明をし、その他の部分については摘子部１１又は押込部１２における同様の部分に付した符号と同じ符号を付して説明は省略する。
【０１２６】
第１の例としては、第１の側面部６における第２の切込線１４、１４の上側にそれぞれ補助切込線２８、２８が形成された例である（図２６参照）。
【０１２７】
補助切込線２８、２８は上下方向に延びる実線状に形成され、下端がそれぞれ第２の切込線１４、１４の上端に一致され又は近傍に位置されている。補助切込線２８、２８は上端がそれぞれ粘着テープ１０の左右両側縁の左右方向における外側に位置されている。
【０１２８】
補助切込線２８、２８は表ライナー６ａの厚み方向における全体又は表ライナー６ａの表面部分のみに形成されている。
【０１２９】
補助切込線２８、２８が形成される場合には、粘着テープ１０の端部１０ａが摘子部１１の上側に貼り付けられた状態において特に有効であり、摘子部１１を引っ張って表ライナー６ａを引き剥がしていくときに表ライナー６ａにおける左右の破断部分が補助切込線２８、２８に案内され、表ライナー６ａにおける補助切込線２８、２８間の部分が引き剥がされていく（図２７参照）。補助切込線２８、２８の上端まで表ライナー６ａが引き剥がされたときには粘着テープ１０の端部１０ａにおける先端部が表ライナー６ａとともに引き剥がされており、さらに摘子部１１が引っ張られることにより引き剥がすに従って次第に幅が小さくなっていく表ライナー６ａの左右両側縁が端部１０ａの下縁に到達せず端部１０ａの左右両側縁にそれぞれ到達する。
【０１３０】
従って、さらに摘子部１１を粘着テープ１０に沿って引っ張ることにより粘着テープ１０を表ライナー６ａとともに剥離することができる。
【０１３１】
このように補助切込線２８、２８が形成された段ボール箱１においては、端部１０ａが摘子部１１に貼り付けられていない場合においても、粘着テープ１０の粘着力が粘着テープ１０を剥離しようとする力に対する抵抗になり難く、粘着テープ１０の貼付位置に拘わらず粘着テープ１０を容易に剥離することができる。
【０１３２】
また、補助切込線２８、２８は表ライナー６ａの厚み方向における全体又は表ライナー６ａの表面部分のみに形成され第１の側面部６を貫通する切込ではないため、補助切込線２８、２８を形成することにより第１の側面部６の強度が大きく低下することはなく、補助切込線２８、２８を形成することにより段ボール箱１の十分な強度を確保した上で粘着テープ１０を容易に剥離することができる。
【０１３３】
一方、第１の例として、補助切込線２８、２８に代えて傾斜する補助切込線２８Ａ、２８Ａを形成することも可能である（図２８参照）。
【０１３４】
補助切込線２８Ａ、２８Ａは上方へ行くに従って互いに近付くように傾斜され、下端がそれぞれ第２の切込線１４、１４の上端に一致され又は近傍に位置されている。補助切込線２８Ａ、２８Ａは上端がそれぞれ粘着テープ１０の左右両側縁に一致又は左右両側縁の左右方向における内側に位置されている。
【０１３５】
補助切込線２８Ａ、２８Ａは表ライナー６ａの厚み方向における全体又は表ライナー６ａの表面部分のみに形成されている。
【０１３６】
補助切込線２８Ａ、２８Ａが形成される場合にも、粘着テープ１０の端部１０ａが摘子部１１の上側に貼り付けられた状態において特に有効であり、摘子部１１を引っ張って表ライナー６ａを引き剥がしていくときに表ライナー６ａにおける左右の破断部分が補助切込線２８Ａ、２８Ａに案内され、表ライナー６ａにおける補助切込線２８Ａ、２８Ａ間の部分が引き剥がされていく。補助切込線２８Ａ、２８Ａ間の部分が引き剥がされたときには、表ライナー６ａにおける左右の破断部分が補助切込線２８Ａ、２８Ａに案内されるため、表ライナー６ａの左右両側縁が端部１０ａの左右両側縁にそれぞれ到達する。このとき粘着テープ１０の端部１０ａにおける先端部が表ライナー６ａとともに引き剥がされており、さらに摘子部１１が引っ張られることにより粘着テープ１０を表ライナー６ａとともに剥離することができる。
【０１３７】
このように補助切込線２８Ａ、２８Ａが形成された段ボール箱１においては、端部１０ａが摘子部１１に貼り付けられていない場合においても、粘着テープ１０の粘着力が粘着テープ１０を剥離しようとする力に対する抵抗になり難く、粘着テープ１０の貼付位置に拘わらず粘着テープ１０を容易に剥離することができる。
【０１３８】
また、表ライナー６ａにおける左右の破断部分が傾斜された補助切込線２８Ａ、２８Ａに案内されて左右両側縁が端部１０ａの左右両側縁にそれぞれ到達するため、粘着テープ１０の貼付位置に拘わらず粘着テープ１０を確実に剥離することができる。
【０１３９】
さらに、補助切込線２８Ａ、２８Ａは表ライナー６ａの厚み方向における全体又は表ライナー６ａの表面部分のみに形成され第１の側面部６を貫通する切込ではないため、補助切込線２８Ａ、２８Ａを形成することにより第１の側面部６の強度が大きく低下することはなく、補助切込線２８Ａ、２８Ａを形成することにより段ボール箱１の十分な強度を確保した上で粘着テープ１０を容易に剥離することができる。
【０１４０】
第２の例としては、第１の側面部６に粘着テープ１０と貼着テープ５をそれぞれ剥離するための摘子部１１、１１と押込部１２、１２が形成された例である（図２９参照）。
【０１４１】
第１の側面部６には上側に摘子部１１と押込部１２が形成され、その下側にも摘子部１１と押込部１２が形成されている。上側に位置された摘子部１１と押込部１２は粘着テープ１０の剥離用であり、下側に位置された摘子部１１と押込部１２は貼着テープ５の剥離用である。尚、下側に位置された摘子部１１と押込部１２は押込部１２と摘子部１１が順に上下に連続して形成されている。
【０１４２】
段ボール箱１において、上側に位置された摘子部１１と押込部１２を用いて粘着テープ１０を剥離すると共に下側に位置された押込部１２と摘子部１１を用いて貼着テープ５を剥離することにより、粘着テープ１０と貼着テープ５の剥離作業を何れも容易に行うことができ、例えば、段ボール箱１を折り畳んだり廃棄したりするときに便利である。
【０１４３】
また、第２の例として、粘着テープ１０と貼着テープ５をそれぞれ剥離するために、第１の側面部６に一つの摘子部１１と一つの押込部１２から成る兼用部２９を形成することも可能である（図３０参照）。
【０１４４】
兼用部２９は上下に連続して形成された第１の部分２９ａと第２の部分２９ｂから成り、第１の部分２９ａと第２の部分２９ｂの一方が摘子部１１として機能し他方が押込部１２として機能する。粘着テープ１０を剥離するときには上側に位置された第１の部分２９ａが摘子部１１として機能し下側に位置された第２の部分２９ｂが押込部１２として機能する。貼着テープ５を剥離するときには上側に位置された第１の部分２９ａが押込部１２として機能し下側に位置された第２の部分２９ｂが摘子部１１として機能する。
【０１４５】
従って、粘着テープ１０を剥離するときは、先ず、押込部１２として機能する第２の部分２９ｂを押し込み、次に、摘子部１１として機能する第１の部分２９ａを引き出し、引き出した２９ａを粘着テープ１０に沿って引っ張ることにより表ライナー６ａとともに粘着テープ１０を剥離する。一方、貼着テープ５を剥離するときは、先ず、押込部１２として機能する第１の部分２９ａを押し込み、次に、摘子部１１として機能する第２の部分２９ｂを引き出し、引き出した２９ａを貼着テープ５に沿って引っ張ることにより表ライナー６ａとともに貼着テープ５を剥離する。
【０１４６】
上記のように兼用部２９が形成された場合においては、上側に位置された第１の部分２９ａと下側に位置された第２の部分２９ｂを用いて粘着テープ１０と貼着テープ５を剥離することにより、粘着テープ１０と貼着テープ５の剥離作業を何れも容易に行うことができ、例えば、段ボール箱１を折り畳んだり廃棄したりするときに便利である。
【０１４７】
また、兼用部２９が形成された場合には、摘子部１１又は押込部１２として機能する部分が一つずつであるため、その分、第１の側面部６の高い強度が確保され、段ボール箱１の全体としての高い強度を確保することができる。
【０１４８】
＜その他＞
上記には、第１の切込線乃至第６の切込線が何れも直線状に形成された例を示したが、第１の切込線乃至第６の切込線は直線状に限られることはなく、第１の切込線乃至第６の切込線を必要に応じて曲線状に形成することも可能であり、また、直線と曲線の組み合わせの形状に形成することも可能である。
【０１４９】
また、第１の切込線乃至第６の切込線は必要に応じて左右方向又は上下方向に対して傾斜されていてもよい。
【０１５０】
さらに、第１の切込線乃至第６の切込線は、これらのうちの連続する切込線が直線状と曲線状の組み合わせ又は曲線状と曲線状の組み合わせの角張った部分のない１本の線として形成されていてもよい。例えば、直線状の第１の切込線と曲線状の第２の切込線が１本の線として形成され、中間の所定の点を基準として一方の切込線が第１の切込線として形成され他方の切込線が第２の切込線として形成されていてもよい。
【符号の説明】
【０１５１】
１      段ボール箱
５      貼着テープ
６      第１の側面部
６ａ    表ライナー
６ｃ    裏ライナー
７      第２の側面部
８      内側ラップ部
９      外側ラップ部
１０    粘着テープ
１１    摘子部
１２    押込部
１３    第１の切込線
１４    第２の切込線
１４ａ    テープ側切込端
１５    第３の切込線
１１Ａ  摘子部
１４Ａ  第２の切込線
１１Ｂ  摘子部
２０    切込
２１    切込
１５Ｂ  第３の切込線
１１Ｃ  摘子部
１４Ｃ  第２の切込線
２２    切込
２３    切込
１１Ｄ  摘子部
１４Ｄ  第２の切込線
２４    切込
２５    切込
１１Ｅ  摘子部
１２Ｅ  押込部
１１Ｆ  摘子部
１２Ｆ  押込部
１４Ｆ  第２の切込線
２６    切込
２７    切込
２８    補助切込線
２８Ａ  補助切込線
【要約】
粘着テープの貼付位置に拘わらず粘着テープを容易に剥離する。
一対の外側ラップ部の合わせ目部分から一対の第１の側面部の各一部に亘って粘着テープが貼り付けられて封緘され、一対の第１の側面部における少なくとも一方に、開梱時に内側へ押し込まれる押込部と押込部より粘着テープ側に位置され開梱時に外側へ引き出される摘子部とが連続して設けられている。摘子部が実線状又は破線状の四つの切込線に囲まれた領域として形成され、四つの切込線は、押込部との境界線として形成された第１の切込線と、第１の切込線にそれぞれ連続され粘着テープの幅方向において離隔された一対の第２の切込線と、一対の第２の切込線にそれぞれ連続され折り目として機能する第３の切込線とから成り、一対の第２の切込線における押込部と反対側の一端をそれぞれテープ側切込端としたときに、二つのテープ側切込端間の粘着テープの幅方向における距離が粘着テープの幅より大きくされた。【図１】
0005894340.tif 000002
【図２】
0005894340.tif 000003
【図３】
0005894340.tif 000004
【図４】
0005894340.tif 000005
【図５】
0005894340.tif 000006
【図６】
0005894340.tif 000007
【図７】
0005894340.tif 000008
【図８】
0005894340.tif 000009
【図９】
0005894340.tif 000010
【図１０】
0005894340.tif 000011
【図１１】
0005894340.tif 000012
【図１２】
0005894340.tif 000013
【図１３】
0005894340.tif 000014
【図１４】
0005894340.tif 000015
【図１５】
0005894340.tif 000016
【図１６】
0005894340.tif 000017
【図１７】
0005894340.tif 000018
【図１８】
0005894340.tif 000019
【図１９】
0005894340.tif 000020
【図２０】
0005894340.tif 000021
【図２１】
0005894340.tif 000022
【図２２】
0005894340.tif 000023
【図２３】
0005894340.tif 000024
【図２４】
0005894340.tif 000025
【図２５】
0005894340.tif 000026
【図２６】
0005894340.tif 000027
【図２７】
0005894340.tif 000028
【図２８】
0005894340.tif 000029
【図２９】
0005894340.tif 000030
【図３０】
0005894340.tif 000031